(57)【特許請求の範囲】
【請求項１】
絶縁材料により形成され、環状の周壁を有するケースと、
前記周壁に形成された一対の挿通孔に挿通されるとともに前記ケースの内外にそれぞれ突出する一対の電極端子と、
シート状の正極部材及び負極部材、並びに前記正極部材と前記負極部材との間に介設されたシート状のセパレータを有し、前記ケースの内部に収容されるとともに前記電極端子の各々に接合された電極積層体と、
前記ケースの開口を閉じるカバーと、を備え、
前記周壁の内周面には、前記電極端子を支持する支持部が一体形成され、
前記電極端子の前記支持部に支持される部位及び前記支持部には、孔がそれぞれ形成され、
前記電極端子の孔及び前記支持部の孔には、同支持部に対する前記電極端子の変位を規制する規制部材が挿通され、
前記規制部材の頂面と同頂面に対向する前記カバーとの間隔は、前記孔の各々からの同規制部材の抜け出しが前記カバーによって阻止される大きさとされている、
二次電池。
【請求項２】
前記正極部材は、前記電極端子の一方である正極端子と押え部材とに挟持された状態で締結部材により締結され、
前記負極部材は、前記電極端子の他方である負極端子と押え部材とに挟持された状態で締結部材により締結されている、
請求項１に記載の二次電池。
【請求項３】
前記押え部材と前記電極端子における同押え部材に対向する部位とは共に半割れ柱状をなしている、
請求項２に記載の二次電池。
【請求項４】
前記ケースの周壁の外周縁は、前記ケースの開口に直交する方向において前記カバーよりも外側に突出している、
請求項１〜請求項３のいずれか一項に記載の二次電池。
【発明の詳細な説明】
【技術分野】
【０００１】
本発明は、リチウムイオン二次電池などの二次電池に関する。
【背景技術】
【０００２】
この種の二次電池としては例えば特許文献１に記載のものがある。特許文献１に記載の二次電池は、開口を有する箱状のケースを備えており、ケースの内部には、正極板、負極板、及び正極板と負極板との間に介設されたセパレータを有する電極組立体が電解液と共に収容されている。ケースの開口はキャッププレートによって閉じられており、キャッププレートに形成された一対の孔には、正極端子及び負極端子（以下、電極端子と総称する。）がそれぞれ挿通されている。また、前記電極組立体の正極板及び負極板（以下、電極板と総称する。）には、集電板がそれぞれ溶着されている。また、各集電板と電極端子との間にはリード部材が介設されている。
【先行技術文献】
【特許文献】
【０００３】
【特許文献１】特開２０１１―１７１２９７号公報
【発明の概要】
【発明が解決しようとする課題】
【０００４】
ところで、特許文献１に記載の二次電池においては、電極端子と電極板との間に集電板及びリード部材が介設されている。そのため、二次電池の内部構造が複雑なものとなっており、組み付け作業が煩雑になる。
【０００５】
本発明の目的は、内部構造を簡易なものとすることができる二次電池を提供することにある。
【課題を解決するための手段】
【０００６】
上記目的を達成するための二次電池は、絶縁材料により形成され、環状の周壁を有するケースと、前記周壁に形成された一対の挿通孔に挿通されるとともに前記ケースの内外にそれぞれ突出する一対の電極端子と、シート状の正極部材及び負極部材、並びに前記正極部材と前記負極部材との間に介設されたシート状のセパレータを有し、前記ケースの内部に収容されるとともに前記電極端子の各々に接合された電極積層体と、前記ケースの開口を閉じるカバーと、を備える。
【０００７】
同構成によれば、電極端子がケースの内外にそれぞれ突出しており、ケースの内部において各電極端子に電極積層体が接合されている。また、ケースが絶縁材料によって形成されているため、電極端子とケースとの間に絶縁部材を介設する必要がない。
【発明の効果】
【０００８】
本発明によれば、二次電池の内部構造を簡易なものとすることができる。
【図面の簡単な説明】
【０００９】
【図１】第１実施形態に係る二次電池の斜視図。
【図２】同実施形態に係る二次電池の分解斜視図。
【図３】同実施形態に係る二次電池の平面図であって、カバーが取り外されている状態を示す図。
【図４】図３の４−４線に沿った断面図であって、カバーが組み付けられている状態を示す図。
【図５】図４に対応する断面図であって、カバーの断面図。
【図６】図４に対応する断面図であって、カバーに対して正極端子が組み付けられている状態を示す断面図。
【図７】図４に対応する断面図であって、カバーに対して更に規制ピン及びリベットが組み付けられている状態を示す断面図。
【図８】図４に対応する断面図であって、カバーに対して更に押え部材が組み付けられている状態を示す断面図。
【図９】図４に対応する断面図であって、更にリベットの頭部がカシメられている状態を示す断面図。
【図１０】第２実施形態に係る二次電池について、２つの二次電池が上下に積み重ねられた状態を示す部分断面図。
【図１１】第３実施形態に係る二次電池について、カバーが取り外されている状態を示す平面図。
【図１２】図１１の１２−１２線に沿った断面図であって、カバーが取り付けられている状態を示す図。
【図１３】同実施形態の正極部材の平面図。
【図１４】変形例に係る正極部材の平面図。
【発明を実施するための形態】
【００１０】
（第１実施形態）
以下、図１〜図９を参照して、本発明をリチウムイオン二次電池（以下、二次電池１０と略称する。）として具体化した第１実施形態について説明する。
【００１１】
図１〜図３に示すように、二次電池１０のケース２０は、絶縁性樹脂材料により形成され、長四角環状の周壁２１を有している。なお、以降において、前記長四角の長辺に沿った方向を長手方向と称し、短辺に沿った方向を短手方向と称する。
【００１２】
図１及び図２に示すように、周壁２１の外周面には、複数の肉抜き部２１３が周方向に間隔をおいて形成されている。周壁２１における前記長四角の一方の長辺をなす部位には、同周壁２１を貫通する一対の挿通孔２２が長手方向において互いに離間して形成されている。また、周壁２１における前記長四角の両長辺をなす部位には、同周壁２１を貫通する一対の注入孔２４がそれぞれ形成されている。一対の注入孔２４は一対の挿通孔２２の間に位置するとともに同挿通孔２２に隣接している。各注入孔２４には、ねじ１３が螺入されている。
【００１３】
各挿通孔２２には、アルミニウムよりなる柱状の正極端子３０と、銅よりなる柱状の負極端子４０とが挿通されている。正極端子３０及びその周辺の構造と、負極端子４０及びその周辺の構造とは鏡像の関係にある。従って、以降においては、正極端子３０及びその周辺の構造について説明することにより負極端子４０及びその周辺の構造の説明を省略する。なお、負極端子４０の各構成に対しては正極端子３０の各構成の符号に対して「１０」を加算した符号を付している。
【００１４】
図２〜図４に示すように、正極端子３０は、短手方向に沿って延びており、その基端はケース２０の内部に突出する一方、その先端はケース２０の外部に突出している。
図４に示すように、正極端子３０の外周面には、リング溝３３が形成されており、同リング溝３３には耐腐食性ゴム材料よりなるＯリング３７が外嵌されている。このＯリング３７はケース２０の挿通孔２２の内周面に圧接されている。従って、挿通孔２２の内周面と正極端子３０の外周面との間には全周にわたって間隙が存在している。
【００１５】
図２〜図５に示すように、正極端子３０の挿入方向前方に位置するケース２０の隅部には、支持部２３が周壁２１の内周面と一体形成されており、同支持部２３の上面によって正極端子３０の基端部が支持されている。すなわち、図４に示すように、正極端子３０の基端部を含む部位は、半割れ円柱状をなしている。そして、図６に示すように、当該部位の下面が支持部２３の上面に当接されている。また、正極端子３０の基端部には孔３２が形成され、支持部２３には支持孔２３１が形成されている。
【００１６】
図４に示すように、孔３２及び支持孔２３１には、上方から規制ピン３８が挿通されている。規制ピン３８は、孔３２，２３１に挿通される円柱状の軸部３８１と、軸部３８１よりも拡径されて正極端子３０の基端部の上面に当接される直方体状の拡径部３８２とを有している。この規制ピン３８によって支持部２３に対する正極端子３０の変位が規制されている。
【００１７】
図２及び図３に示すように、ケース２０の内部には、アルミニウム箔の両面にコバルト酸リチウムなどの活物質が塗布された正極部材５１、銅箔の両面に炭素材料などが塗布された負極部材５２、及び絶縁性樹脂材料製の不織布よりなるセパレータ５３を有する電極積層体５０が図示しない電解液と共に収容されている。電極積層体５０においては、１枚の正極部材５１と１枚の負極部材５２との間に１枚のセパレータ５３が介設されるようにして複数の正極部材５１、負極部材５２、及びセパレータ５３が積層されている。なお、図２においては、正極部材５１、負極部材５２、及びセパレータ５３を１枚ずつ図示している。
【００１８】
正極部材５１は、正極端子３０とその上方に配置される押え部材３４とによって挟持されており、正極端子３０の孔３１、正極部材５１の長孔５１１、及び押え部材３４の孔３５に挿通されたリベット３６によってこれら正極端子３０、正極部材５１、及び押え部材３４が締結されている。孔３１，５１１，３５は、正極端子３０の軸線方向に間隔をおいて２つずつ形成されている。
【００１９】
図２〜図４に示すように、押え部材３４は半割れ円柱状をなしている。すなわち、押え部材３４及び正極端子３０は、アルミニウムよりなる円柱状素材の基端部を含む一部を中心軸線を通るように軸線方向に沿って二つに分割することにより形成されている。
【００２０】
図２及び図３に示すように、周壁２１における前記挿通孔２２を有する部位の内周面には、長手方向の中央位置に位置決め突起２５が形成されている。この位置決め突起２５に対して正極部材５１の縁に形成された凹部５１２が外挿されるとともに、各リベット３６に対して各長孔５１１が外挿されることにより、ケース２０に対する正極部材５１の位置決めがなされている。
【００２１】
また、図２に示すように、負極部材５２は、負極端子４０とその上方に配置される押え部材４４とによって挟持されており、負極端子４０の孔４１、負極部材５２の長孔５２１、及び押え部材４４の孔４５に挿通されたリベット４６によってこれら負極端子４０、負極部材５２、及び押え部材４４が締結されている。孔４１，５２１，４５は、負極端子４０の軸線方向に間隔をおいて２つずつ形成されている。
【００２２】
図２及び図３に示すように、周壁２１の内周面における前記位置決め突起２５に対向する位置には、位置決め突起２６が形成されている。この位置決め突起２６に対して、負極部材５２の縁に形成された凹部５２２が外挿されるとともに、各リベット４６に対して各長孔５２１が外挿されることにより、ケース２０に対する負極部材５２の位置決めがなされている。
【００２３】
図２〜図４に示すように、周壁２１の上面及び下面には、四角環状の二重の溝２１１，２１２がそれぞれ形成されている。図４に示すように、外周側の溝２１１には、シール剤８０が塗布されている。
【００２４】
図２及び図４に示すように、周壁２１の上面及び下面には、ケース２０の上部開口及び下部開口を閉じる板状のカバー６０，７０がそれぞれ組み付けられている。すなわち、図２に示すように、周壁２１には、前記肉抜き部２１３の上方及び下方に位置する部位を貫通する孔２７，２８が周方向に間隔をおいて形成されている。周壁２１の上面に対してカバー６０が当接され、カバー６０の孔６１及び周壁２１の孔２７に挿通されたリベット１１によって周壁２１とカバー６０とがそれぞれ締結されている。また、周壁２１の下面に対してカバー７０が当接され、カバー７０の孔７１及び周壁２１の孔２８に挿通されたリベット１２によって周壁２１とカバー７０とが締結されている。本実施形態のカバー６０，７０はアルミニウムにより形成されている。
【００２５】
図４に示すように、規制ピン３８の頂面と同頂面に対向するカバー６０の下面との間隔は、各孔２３１，３２からの同規制ピン３８の抜け出しがカバー６０によって阻止される大きさとされている。
【００２６】
なお、図３に二点鎖線にて示すように、電極積層体５０とカバー６０との間には、絶縁性樹脂材料よりなる絶縁シート５４が介設されている。また、電極積層体５０とカバー７０との間にも、同様な絶縁シートが介設されている（図示略）。図２においては、これら絶縁シート５４の図示を省略している。
【００２７】
次に、本実施形態の二次電池１０の組み付け手順について説明する。
図６に示すように、二次電池１０の組み付けに際しては、まず、リング溝３３にＯリング３７が外嵌された状態の正極端子３０を、挿通孔２２を通じてケース２０の内部に挿通し、正極端子３０の基端部の下面を支持部２３の上面に当接させる。続いて、正極端子３０の孔３２及び支持部２３の支持孔２３１に対して規制ピン３８を上方から差し込む。
【００２８】
次に、図７に示すように、正極端子３０の孔３１に対して下方からリベット３６を挿通し、リベット３６に対して下方から二点鎖線にて示す治具９０を当接させる。このことにより、リベット３６の先端が正極端子３０よりも上方に突出している状態に保持される。続いて、リベット３６に対して正極部材５１の長孔５１１を外挿し、正極端子３０の上に正極部材５１を載置する。続いて、正極部材５１の上にセパレータ５３を載置する。続いて、負極端子４０のリベット４６に対して負極部材５２の長孔５２１を外挿し、負極端子４０及びセパレータ５３の上に負極部材５２を載置する（図２参照）。続いて、負極部材５２の上にセパレータ５３を載置する。こうした作業を繰り返し行なうことにより、正極端子３０及び負極端子４０の上に電極積層体５０が形成される。
【００２９】
次に、図８に示すように、リベット３６に対して押え部材３４の孔３５を外挿する。続いて、リベット３６の先端をカシメる。このことにより、図９に示すように、正極端子３０、電極積層体５０、及び押え部材３４がリベット３６により締結される。また、負極端子４０、電極積層体５０、及び押え部材４４がリベット４６によって締結される（図示略）。
【００３０】
次に、図４に示すように、ケース２０の周壁２１の上面の溝２１１に対してシール剤８０を塗布し、周壁２１の上面にカバー６０を当接させる。続いて、図２に示すように、ケース２０及びカバー６０の孔２７，６１にリベット１１を挿通するとともに同リベット１１の先端をカシメる。このことにより、ケース２０に対してカバー６０が固定される。また、ケース２０の周壁２１の下面に対しても上面と同様の作業を行なうことにより、ケース２０に対してカバー７０が固定される。なお、図２においては、先端がカシメられた状態のリベット１１，１２が示されている。
【００３１】
そして、各注入孔２４を通じてケース２０の内部に電解液を注入し、同注入孔２４にねじ１３を螺入して同注入孔２４を閉じる。
以上説明した本実施形態に係る二次電池によれば、以下に示す作用効果が得られるようになる。
【００３２】
（１）二次電池１０は、絶縁性樹脂材料により形成され、環状の周壁２１を有するケース２０と、周壁２１に形成された一対の挿通孔２２に挿通されるとともにケース２０の内外にそれぞれ突出する一対の電極端子３０，４０とを備える。また、二次電池１０は、正極部材５１及び負極部材５２、並びに正極部材５１と負極部材５２との間に介設されたセパレータ５３を有し、ケース２０の内部に収容されるとともに電極端子３０，４０の各々に接合された電極積層体５０と、ケース２０の開口を閉じるカバー６０，７０とを備える。
【００３３】
こうした構成によれば、電極端子３０，４０がケース２０の内外にそれぞれ突出しており、ケース２０の内部において各電極端子３０，４０に電極積層体５０が接合されている。また、ケース２０が絶縁材料によって形成されているため、電極端子３０，４０とケース２０との間に絶縁部材を介設する必要がない。これらのことから、二次電池１０の内部構造を簡易なものとすることができる。
【００３４】
また、正極端子３０と正極部材５１とが直接接続され、負極端子４０と負極部材５２とが直接接続されることから、通電される部品同士の接合箇所が少なくなり、通電に伴う発熱を抑制することができる。
【００３５】
（２）正極部材５１は、正極端子３０と押え部材３４とに挟持された状態でリベット３６により締結されている。負極部材５２は、負極端子４０と押え部材４４とに挟持された状態でリベット４６により締結されている。
【００３６】
こうした構成によれば、正極端子３０及び負極端子４０に対して正極部材５１及び負極部材５２を安定して接合することができる。
（３）押え部材３４，４４と電極端子３０，４０における同押え部材３４，４４に対向する部位とは共に半割れ円柱状をなしている。
【００３７】
こうした構成によれば、円柱状の金属素材の一部を中心軸線を通るように軸線方向に沿って二つに分割して半割れ円柱状に形成することにより、電極端子３０，４０及び押え部材３４，４４を形成することができる。従って、電極端子３０，４０及び押え部材３４，４４に要する素材を節減することができる。
【００３８】
また、上記構成によれば、押え部材３４，４４と電極端子３０，４０との厚さを小さくすることができる。従って、二次電池１０の厚さを小さくすることができる。
（４）ケース２０の周壁２１の内周面には、電極端子３０，４０を支持する支持部２３が一体形成されている。
【００３９】
こうした構成によれば、ケース２０に対して電極端子３０，４０が安定して組み付けられる。また、支持部２３が絶縁材料によって形成されるため、電極端子３０，４０と支持部２３との間が適切に絶縁される。また、支持部２３がケース２０に一体形成されているため、支持部２３の追加に伴って部品点数が増大することはない。
【００４０】
（５）正極端子３０の基端部及び支持部２３には、孔３２及び支持孔２３１がそれぞれ形成されている。正極端子３０の孔３１及び支持部２３の支持孔２３１には、同支持部２３に対する正極端子３０の変位を規制する規制ピン３８が挿通されている。規制ピン３８の頂面と同頂面に対向するカバー６０との間隔は、各孔２３１，３２からの同規制ピン３８の抜け出しがカバー６０によって阻止される大きさとされている。
【００４１】
こうした構成によれば、正極端子３０の孔３２及び支持部２３の支持孔２３１に挿通された規制ピン３８の抜け出しがカバー６０によって阻止される。従って、接着剤などの他の手段によって規制ピン３８を支持部２３に固定しなくとも済む。従って、支持部２３に対して規制ピン３８を容易に固定することができる。また、正極端子３０の孔３２及び支持部２３の支持孔２３１に対して規制ピン３８を差し込めば済むことから、組み付けの作性を高めることができる。
【００４２】
（６）カバー６０がアルミニウムの板材によって形成されている。このため、二次電池１０内部において発生した熱を、高い熱伝導性を有するカバー６０を通じて外部に効果的に放出することができる。したがって、二次電池１０の温度上昇を抑制することができる。
【００４３】
（７）ケース２０の周壁２１における両長辺をなす部位に、同周壁２１を貫通する一対の注入孔２４がそれぞれ形成されている。このため、４つの注入孔２４を通じてケース２０の内部に電解液を適切且つ容易に行き渡らせることができる。
【００４４】
（第２実施形態）
以下、図１０を参照して、第２実施形態について第１実施形態との相違点を中心に説明する。なお、第１実施形態と同一のまたは対応する構成については第１実施形態と同一の符号を付すことにより重複する説明を省略する。
【００４５】
図１０に示すように、本実施形態では、周壁２１の上面の外周縁２１４が全周にわたってリベット１１及びカバー６０よりも上方に突出している。また、周壁２１の下面の外周縁２１５が全周にわたってリベット１２及びカバー７０よりも下方に突出している。
【００４６】
以上説明した本実施形態に係る二次電池によれば、第１実施形態の効果（１）〜（７）に加えて、新たに以下に示す作用効果が得られるようになる。
（８）ケース２０の周壁２１の外周縁２１４，２１５は、ケース２０の開口に直交する方向においてカバー６０，７０よりも外側に突出している。こうした構成によれば、図１０に示すように、２つの二次電池１０が積み重ねられた状態において、互いに対向するカバー７０，６０の間に隙間が生じる。このため、カバー６０，７０同士が接触することがなく、二次電池１０内部において発生した熱を、カバー６０，７０を通じて外部に効果的に放出することができる。したがって、二次電池１０の温度上昇を一層抑制することができる。
【００４７】
（第３実施形態）
以下、図１１〜図１３を参照して、第３実施形態について第１実施形態との相違点を中心に説明する。なお、第１実施形態と同一のまたは対応する構成については第１実施形態と同一の符号を付すことにより重複する説明を省略する。
【００４８】
図１１及び図１３に示すように、本実施形態では、正極部材５１における長手方向の一端（同図の左端）であって短手方向の両端には、長孔５１１を有する取付片５１３，５１４が形成されている。正極部材５１における図１３に二点鎖線にて示す長四角の領域内には、第１実施形態と同様な活物質が塗布されている。すなわち、活物質は、正極部材５１の長手方向全体にわたって塗布されている。なお、図１１に示すように、負極部材５２は正極部材５１と左右対称な形状を有しており、長手方向の他端（図１１の右端）に取付片５２３，５２４が形成されている。
【００４９】
図１２に示すように、正極端子３０の挿入方向前方に位置するケース２０の隅部には、支持孔１２４を有する支持部１２３が形成されている。
各支持部１２３の上面に正極部材５１の取付片５１３が載置され、同取付片５１３の長孔５１１及び支持孔１２４に対して、第１実施形態の規制ピン３８と同様な形状の固定ピン１３８が挿通されている。
【００５０】
図１１に示すように、本実施形態の正極端子３０は、短手方向において前記支持部１２３まで延びているのではなく、同支持部１２３とは反対側の取付片５１４の直下まで延びている。したがって、正極端子３０は、正極部材５１における活物質が塗布されている部分の直下には存在しない。
【００５１】
図１２に示すように、正極端子３０の上面に正極部材５１の取付片５１４が載置され、取付片５１４の上面に押え部材３４が載置されている。そして、正極端子３０、取付片５１４、及び押え部材３４がリベット３６によって締結されている。なお、図１１では、セパレータ５３や絶縁シート５４の図示が省略されている。
【００５２】
以上説明した本実施形態に係る二次電池によれば、第１実施形態の効果（１）〜（７）に加えて、新たに以下に示す作用効果が得られるようになる。
（９）正極部材５１における長手方向の一端であって短手方向の両端には、長孔５１１を有する取付片５１３，５１４が形成されている。また、活物質は、正極部材５１の長手方向全体にわたって塗布されている。このため、ケース２０の容積を変更することなく活物質の塗布面積を大きくすることができる。したがって、二次電池１０の体積エネルギ密度を向上させることができる。
【００５３】
（１０）正極端子３０は、短手方向においてケース２０の支持部１２３まで延びているのではなく、同支持部１２３とは反対側の取付片５１４の直下まで延びている。このため、正極端子３０を短くすることができ、二次電池１０の軽量化を図ることができる。
【００５４】
（変形例）
なお、上記実施形態は、例えば以下のように変更することもできる。
・第２実施形態において、周壁２１の上面及び下面の外周縁２１４，２１５に周方向において部分的に切欠を設けることもできる。この場合、互いに対向するカバー７０，６０の間の熱が切欠を通じて外周縁２１５，２１４の外部に放出されやすくなる。したがって、二次電池１０の温度上昇を一層抑制することができる。
【００５５】
・第３実施形態の正極部材５１（負極部材５２）の形状を以下のように変更することもできる。すなわち、図１４に示すように、正極部材５１における支持部１２３及び正極端子３０に固定される部位以外の部分を短手方向全体に延長することもできる。この場合、活物質の塗布面積を一層大きくすることができる。この場合、負極部材５２についても同様の変更を行なえばよい。
【００５６】
・ケース２０の挿通孔２２の内周面と正極端子３０（負極端子４０）との間をシールする手段はＯリング３７に限定されない。他に例えば、正極端子３０（負極端子４０）の外周面にシール剤を塗布するようにしてもよい。
【００５７】
・カバー６０，７０をステンレス鋼などの他の金属材料によって形成することもできる。
・支持部２３の支持孔２３１を雌ねじに変更するとともに、規制ピン３８を雄ねじに変更することもできる。
【００５８】
・ケース２０の周壁２１の内周面における短手方向の中央部に支持部２３を設けることもできる。
・正極端子３０及び押え部材３４を各別に形成することもできる。
【００５９】
・リベット３６に代えて、ボルト及びナットによって正極端子３０、正極部材５１、及び押え部材３４を締結するようにしてもよい。
・カバー６０，７０を絶縁性樹脂材料によって形成することもできる。この場合、絶縁シート５４を省略することができる。
【００６０】
・二次電池１０のケース２０を正方形の平面形状を有するものに変更することもできる。
【符号の説明】
【００６１】
１０…二次電池、１１，１２…リベット、１３…ねじ、２０…ケース、２１…周壁、２１１，２１２…溝、２１３…肉抜き部、２１４，２１５…外周縁、２２…挿通孔、２３…支持部、２３１…支持孔、２４…注入孔、２５，２６…位置決め突起、２７，２８…孔、３０…正極端子、３１…孔、３２…孔、３３…リング溝、３４…押え部材、３５…孔、３６…リベット（締結部材）、３７…Ｏリング、３８…規制ピン（規制部材）、３８１…軸部、３８２…拡径部、４０…負極端子、４１…孔、４４…押え部材、４５…孔、４６…リベット（締結部材）、４８…規制ピン（規制部材）、５０…電極積層体、５１…正極部材、５１１…長孔、５１２…凹部、５１３，５１４…取付片、５２…負極部材、５２１…長孔、５２２…凹部、５２３，５２４…取付片、５３…セパレータ、５４…絶縁シート、６０…カバー、６１…孔、７０…カバー、７１…孔、８０…シール剤、９０…治具、１２３…支持部、１２４…支持孔、１３８，１４８…固定ピン。
【図１】
0006380074.tif 000002
【図２】
0006380074.tif 000003
【図３】
0006380074.tif 000004
【図４】
0006380074.tif 000005
【図５】
0006380074.tif 000006
【図６】
0006380074.tif 000007
【図７】
0006380074.tif 000008
【図８】
0006380074.tif 000009
【図９】
0006380074.tif 000010
【図１０】
0006380074.tif 000011
【図１１】
0006380074.tif 000012
【図１２】
0006380074.tif 000013
【図１３】
0006380074.tif 000014
【図１４】
0006380074.tif 000015